(57)【要約】      （修正有）【課題】乗かごの上に作業員が乗った状態で乗かごを昇降させる場合における作業員の安全性を確保することができるとともに、昇降路の壁面に設けられた昇降路機器の保守点検作業の作業性を向上させる。【解決手段】エレベータのかご上手摺装置において、エレベータの乗かご１の上面にこの上面を囲むように複数の手摺３，４，５が設けられ、手摺の少なくとも一つは、乗かごの上面の縁部から離反した位置と乗かごの上面の縁部に近接した位置とに移動可能及びそれぞれの移動位置で固定可能に設けられている。【選択図】図１
2011126706.tif 000002
【特許請求の範囲】
【請求項１】
エレベータの乗かごの上面にこの上面を囲むように複数の手摺が設けられ、
前記手摺の少なくとも一つは、前記乗かごの上面の縁部から離反した位置と前記乗かごの上面の縁部に近接した位置とに移動可能及びそれぞれの移動位置で固定可能に設けられていることを特徴とするエレベータのかご上手摺装置。
【請求項２】
前記乗かごの上部に設置された照明灯と、
前記手摺を前記乗かごの上面の縁部に近接した位置に移動させた場合に前記照明灯を点灯させるとともに前記手摺を前記乗かごの上面の縁部から離反した位置に移動させた場合に前記照明灯を消灯させるように切替えられる照明灯スイッチと、
を備えることを特徴とする請求項１記載のエレベータのかご上手摺装置。
【請求項３】
前記乗かごの昇降を規制する状態と許容する状態とに切替える安全回路に接続され、前記手摺を前記乗かごの上面の縁部に近接した位置に移動させた場合に前記安全回路を前記乗かごの昇降を規制する状態に切替えるとともに前記手摺を前記乗かごの上面の縁部から離反した位置に移動させた場合に前記安全回路を前記乗かごの昇降を許容する状態に切替える安全スイッチを備えることを特徴とする請求項１又は２記載のエレベータのかご上手摺装置。
【請求項４】
２つの前記手摺の隣合って位置する端部間に接続され、前記手摺を前記乗かごの上面の縁部に近接した位置に移動させた場合に前記手摺の隣合って位置する端部間に隙間が発生することを阻止する索状部材を備えることを特徴とする請求項１ないし３のいずれか一項に記載のエレベータのかご上手摺装置。
【請求項５】
前記手摺の上部側に、上方に向けて高さ寸法を延長可能な延長手摺が設けられていることを特徴とする請求項１ないし４のいずれか一項に記載のエレベータのかご上手摺装置。
【発明の詳細な説明】
【技術分野】
【０００１】
本発明は、作業員がエレベータの乗かごの上に乗って作業をする場合に使用するエレベータのかご上手摺装置に関する。
【背景技術】
【０００２】
エレベータの昇降路の壁面には各種の昇降路機器が取付けられており、これらの昇降路機器の保守点検作業は、乗かごの上に作業員が乗り、乗かごを昇降させながら行なっている。
【０００３】
作業員が乗かごの上に乗って昇降路機器の保守点検作業を行なう場合、作業員の転落事故を防止する必要があり、乗りかごの上面には作業員の転落事故を防止するための手摺が設けられている。
【０００４】
また、この手摺は、下記特許文献１に記載されたように、乗かごの上面の縁部から内側方向に離反した位置に設けられている。その理由は、手摺が乗かごの上面の縁部に近接して設けられていると、乗かごを昇降させた場合に、手摺に体を寄せていた作業員が頭や手を昇降路機器に衝突させることがあるためである。
【先行技術文献】
【特許文献】
【０００５】
【特許文献１】国際公開第２００１／６２６５４号
【発明の概要】
【発明が解決しようとする課題】
【０００６】
しかしながら、特許文献１に記載されたエレベータのかご上手摺装置では、保守点検作業時において作業員と昇降路の壁面に設けられている昇降路機器との間隔が大きくなり、昇降路機器に対して作業員の手が届きにくくなる場合があり、保守点検作業に手間がかかるようになる。
【０００７】
本発明はこのような課題を解決するためになされたもので、その目的は、乗かごの上に作業員が乗った状態で乗かごを昇降させる場合における作業員の安全性を確保することができるとともに、昇降路の壁面に設けられた昇降路機器の保守点検作業の作業性を向上させることができるエレベータのかご上手摺装置を提供することである。
【課題を解決するための手段】
【０００８】
本発明の実施の形態に係る第１の特徴は、エレベータのかご上手摺装置において、エレベータの乗かごの上面にこの上面を囲むように複数の手摺が設けられ、前記手摺の少なくとも一つは、前記乗かごの上面の縁部から離反した位置と前記乗かごの上面の縁部に近接した位置とに移動可能及びそれぞれの移動位置で固定可能に設けられていることである。
【発明の効果】
【０００９】
本発明によれば、乗かごの上に作業員が乗った乗かごを昇降させる場合、手摺を乗かごの上面の縁部から離反した位置に移動させることにより、作業員と昇降路の壁面に設けられた昇降路機器との間隔が大きくなり、作業員が頭や手を昇降路機器に衝突させることを防止して作業員の安全性を高めることができ、昇降路機器の保守点検作業時には手摺を乗かごの上面の縁部に近接した位置に移動させることにより、作業員と昇降路機器との間隔が小さくなり、保守点検作業の作業性を向上させることができる。
【図面の簡単な説明】
【００１０】
【図１】本発明の第１の実施の形態を示す斜視図である。
【図２】（ａ）は乗かごの上面の縁部から離反した位置に回動させた手摺を示す平面図、（ｂ）はその正面図である。
【図３】（ａ）は乗かごの上面の縁部に近接した位置に回動させた手摺を示す平面図、（ｂ）はその正面図である。
【図４】本発明の第２の実施の形態において、手摺を乗かごの上面の縁部に近接した位置に回動させた状態を示す正面図である。
【図５】その一部を拡大して示す側面図である。
【図６】本発明の第３の実施の形態において、手摺を乗かごの上面の縁部に近接した位置に回動させた状態を示す平面図である。
【図７】本発明の第４の実施の形態において、手摺を乗かごの上面の縁部から離反した位置に回動させた状態を示す斜視図である。
【図８】手摺を乗かごの上面の縁部から離反した位置に回動させるとともに延長手摺を延長位置に回動させた状態を示す斜視図である。
【発明を実施するための形態】
【００１１】
以下、本発明の実施の形態を図面を用いて説明する。
【００１２】
（第１の実施の形態）
本発明の第１の実施の形態を、図１ないし図３に基づいて説明する。図１に示すように、エレベータの乗かご１の上面には、かごドア２が設けられている正面側に対向する背面側に位置する背面手摺３と、乗りかご１の左右の側面側に位置するとともに背面手摺３と直交する向きに位置する側面手摺４，５とが取付けられている。
【００１３】
背面手摺３は、一対の縦杆３ａ，３ｂと、一対の縦杆３ａ，３ｂの一方の端部同士を連結した横杆３ｃとにより略Ｕ字形状に形成されている。背面手摺３は横杆３ｃが上側となる逆Ｕ字形の向きに乗かご１の上面に配置され、縦杆３ａ，３ｂの他方の端部側が乗かご１の上面に固定されたベース６に支軸７により回動可能に連結されている。
【００１４】
支軸７を中心として回動可能な背面手摺３は、図２に示すように縦杆３ａ，３ｂが直立した位置と、図３に示すように横杆３ｃが乗かご１の上面の縁部側に傾いた位置との間で回動する。背面手摺３を図３に示した位置に回動させた場合において、背面手摺３は、その上端部に位置する横杆３ｃが乗かご１の昇降方向の投影面外に出ないように回動位置を規制されている。
【００１５】
一方の縦杆３ａの他方の端部側（ベース６への連結部側）には、背面手摺３を図２に示した位置と図３に示した位置とに回動させた場合に、それぞれの回動位置で背面手摺３を位置固定するロックピン８が取付けられている。ロックピン８による背面手摺３の固定は、縦杆３ａにおける支軸７の近傍位置に挿通したロックピン８を、ベース６に形成されたロック穴（図示せず）に嵌合させることにより行なわれている。
【００１６】
なお、背面手摺３を図２に示す位置に回動させた場合に、背面手摺３は乗かご１の上面の縁部から内側方向に離反した位置に移動した状態となる。また、背面手摺３を図３に示す位置に回動させた場合に、背面手摺３は乗かご１の上面の縁部に近接した位置に移動した状態となる。
【００１７】
側面手摺４は、一対の縦杆４ａ，４ｂと、一対の縦杆４ａ，４ｂの一方の端部同士を連結した横杆４ｃとにより略Ｕ字形状に形成されている。側面手摺４は横杆４ｃが上側となる逆Ｕ字形の向きに乗かご1の上面に配置され、縦杆４ａ，４ｂの他方の端部側が乗かご１の上面に固定されたベース６に支軸７により回動可能に連結されている。
【００１８】
支軸７を中心として回動可能な側面手摺４は、図２に示すように縦杆４ａ，４ｂが直立した位置と、図３に示すように横杆４ｃが乗かご１の上面の縁部側に傾いた位置との間で回動する。側面手摺４を図３に示した位置に回動させた場合において、側面手摺４は、その上端部に位置する横杆４ｃが乗かご１の昇降方向の投影面外に出ないように回動位置を規制されている。
【００１９】
一方の縦杆４ａの他方の端部側（ベース６への連結部側）には、側面手摺４を図２に示した位置と図３に示した位置とに回動させた場合に、それぞれの回動位置で側面手摺４を位置固定するロックピン８が取付けられている。ロックピン８による側面手摺４の固定は、縦杆４ａにおける支軸７の近接位置に挿通したロックピン８を、ベース６に形成されたロック穴（図示せず）に嵌合させることにより行なわれている。
【００２０】
なお、側面手摺４を図２に示す位置に回動させた場合に、側面手摺４は乗かご１の上面の縁部から内側方向に離反した位置に移動した状態となる。側面手摺４を図３に示す位置に回動させた場合に、側面手摺４は乗かご１の上面の縁部に近接した位置に移動した状態となる。
【００２１】
側面手摺５は、その構造及びその取付構造が側面手摺４と同じであり、一対の縦杆５ａ，５ｂと横杆５ｃとにより略Ｕ字形状に形成され、支軸７を中心として回動可能にベース６に連結されている。
【００２２】
このような構成において、エレベータの昇降路の壁面に設けられている昇降路機器の保守点検作業は、乗かご１の上に作業員が乗り、乗かご１を適宜昇降させ、作業位置で乗かご１を停止させて行われる。
【００２３】
乗かご１の上に作業員が乗った乗かご１を作業位置に向けて昇降させる場合には、図２に示すように、手摺３〜５を乗かご１の上面の縁部から離反した位置に回動させておく。これにより、作業員と昇降路機器との間隔が大きくなり、作業員が手摺３〜５に体を寄せている場合でも、作業員の頭や手が昇降路機器に衝突することを防止することができ、作業員の安全性を高めることができる。
【００２４】
乗かご１を停止させて保守点検作業を行なう場合には、図３に示すように、手摺３〜５を乗かご１の上面の縁部に近接した位置に回動させる。これにより、作業員と昇降路機器との間隔が小さくなり、壁面から昇降路内への張出し寸法が小さい昇降路機器に対する作業や昇降路機器の奥まった部分の作業を行なう場合に、作業員の手が作業箇所に容易に届き易くなり、保守点検作業の作業性を向上させることができる。
【００２５】
なお、本実施の形態では、乗かご１の上面の３方に手摺３〜５を設け、各手摺３〜５が乗かご１の上面の縁部から離反した位置と乗かご１の上面の縁部に近接した位置とに回動可能である場合を例に挙げて説明したが、これに限定されるものではない。例えば、乗かご１の上面における乗かご１の正面側にも手摺を設け、乗かご1の上面に設ける手摺を乗かご１の上面の４方としてもよい。さらに、全ての手摺３〜５を乗かご１の上面の縁部から離反した位置と乗かご１の上面の縁部に近接した位置とに回動可能な取付構造とする必要はなく、昇降路機器が設置されている側に位置する少なくとも一つの手摺を回動な取付構造としてもよい。
【００２６】
また、本実施の形態では、手摺３〜５を乗かご１の上面の縁部から離反した位置と乗かご１の上面の縁部に近接した位置とに移動させる動作を、手摺３〜５を支軸７の回りに回動させて行なう場合を例に挙げて説明したが、この動作を、手摺３〜５を水平方向にスライドさせて行なうようにしてもよい。
【００２７】
（第２の実施の形態）
本発明の第２の実施の形態を、図４及び図５に基づいて説明する。なお、第２の実施の形態及びその他の実施の形態において、先行して説明した実施の形態の構成要素と同じ構成要素には同じ符号を付け、重複する説明は省略する。
【００２８】
第２の実施の形態では、一方の側面手摺４のベース６への連結部側に、側面手摺４の回動動作に応じてオン・オフが切替えられるスイッチ９が設けられている。このスイッチ９は、後述する照明灯１０をオン・オフさせる照明灯スイッチ、及び、エレベータの安全回路を切替える安全スイッチとして機能する。
【００２９】
側面手摺４の上端部に位置する横杆４ｃには、スイッチ（照明灯スイッチ）９によりオン・オフの切替えが行われ、スイッチ９がオンに切替えられた場合に乗かご１の上面を照明する照明灯１０が取付けられている。
【００３０】
スイッチ（照明灯スイッチ）９は、側面手摺４を乗かご１の上面の縁部に近接した位置に回動させた場合に照明灯１０を点灯させるオンに切替わり、側面手摺４を乗かご１の上面の縁部から離反した位置に移動させた場合に照明灯１０を消灯させるオフに切替わる。
【００３１】
エレベータには、乗かご１の昇降を制御し、スイッチ（安全スイッチ）９のオン・オフの切替えにより乗りかご１の昇降を規制する状態と、乗かご１の昇降を許容する状態とに切替えられる安全回路が設けられている。
【００３２】
スイッチ（安全スイッチ）は、側面手摺４を乗かご１の上面の縁部に近接した位置に回動させた場合にオンに切替えられ、安全回路が乗かご１の昇降を規制する状態となる。また、スイッチ９は、側面手摺４を乗かご１の上面の縁部から離反した位置に移動させた場合にオフに切替えられ、安全回路が乗かご１の昇降を許容する状態となる。
【００３３】
このような構成において、乗かご１を停止させて乗かご１の上に乗った作業員が保守点検作業を行なう場合には、図４及び図５に示すように、手摺３〜５を乗かご１の上面の縁部に近接した位置に回動させる。側面手摺４が乗かご１の上面の縁部に近接した位置に回動することにより、スイッチ９がオンに切替わる。
【００３４】
スイッチ９がオンに切替わることにより、照明灯１０が点灯されるとともに、安全回路が乗かご１の昇降を規制する状態に切替わる。
【００３５】
照明灯１０が点灯されることにより作業員の手元や足元が明るくなり、保守点検作業の作業性を向上させることができる。また、安全回路が乗かご１の昇降を規制するように切替わることにより、作業中に乗かご１が昇降することが防止され、作業員の安全性を確保することができる。
【００３６】
乗かご１を停止させた位置で行った保守点検作業が終了し、次の作業位置に向けて乗かご１を昇降させる場合には、手摺３〜５を第１の実施の形態の図２に示した位置（乗かご１の上面の縁部から離反した位置）に回動させる。
【００３７】
側面手摺４が乗かご１の上面の縁部から離反した位置に回動することにより、スイッチ９がオフに切替わる。
【００３８】
スイッチ９がオフに切替わることにより、照明灯１０が消灯されるとともに、安全回路が乗かご１の昇降を許容する状態に切替わる。
【００３９】
安全回路が乗かご１の昇降を許容する状態に切替わることにより、乗かご１を次の作業位置に向けて昇降させることが可能となる。また、照明灯１０が消灯されることにより、作業員は手摺３〜５を乗かご１の上面の縁部から離反した位置に回動させたことを確認することができ、手摺３〜５を乗かご１の上面の縁部から離反する位置に回動させることを忘れて乗かご１を昇降させるという誤操作を防止することができる。これにより、手摺３〜５を乗かご１の上面の縁部に近接させたまま乗かご１を昇降させた場合に発生する、手摺３〜５が昇降路機器やロープ干渉するという事故を防止することができる。
【００４０】
なお、本実施の形態では、照明灯１０を横杆４ｃに取付けた場合を例に挙げて説明したが、照明灯１０の取付位置は乗かご１の上部であればよく、例えば、乗かご１の外側を囲むように設けられる上梁に取付けてもよい。
【００４１】
また、本実施の形態では、スイッチ９を側面手摺４にのみ設けた場合を例に挙げて説明したが、全ての手摺３〜５に同様のスイッチ９を設けてもよい。この場合には、いずれか一つのスイッチ９がオンとなった場合に照明灯１０を点灯させるとともに乗りかご１の昇降を規制する状態に安全回路を切替え、及び、全てのスイッチ９がオフとなった場合に照明灯１０を消灯させるとともに乗かご１の昇降を許容する状態に安全回路を切替える。
【００４２】
また、本実施の形態においては、１つのスイッチ９を照明灯スイッチと安全スイッチとして機能させた場合を例に挙げて説明したが、照明灯スイッチと安全スイッチとを別個に設けてもよい。
【００４３】
（第３の実施の形態）
本発明の第３の実施の形態を、図６に基づいて説明する。第３の実施の形態では、隣合って位置する二つの手摺（側面手摺４と背面手摺３、背面手摺３と側面手摺５）の隣合って位置する端部間に索状部材であるチェーン１１が接続されている。
【００４４】
側面手摺４と背面手摺３との隣合って位置する端部間へのチェーン１１の接続は、パイプ状部材で形成された横杆４ｃ内にチェーン１１の一端側を出し入れ可能に収容し、パイプ状部材で形成された横杆３ｃ内にチェーン１１の他端側を出し入れ可能に収容し、チェーン１１のそれぞれの端部を横杆４ｃ，３ｃ内に設けたスプリングで引張ることにより行なわれている。背面手摺３と側面手摺５との隣合って位置する端部間へのチェーン１１の接続も同様に行なわれている。
【００４５】
このような構成において、乗かご１を停止させて乗かご１の上に乗った作業員が保守点検作業を行なう場合には、図６に示すように、手摺３〜５を乗かご１の上面の縁部に近接した位置に回動させる。
【００４６】
手摺３〜５を乗かご１の上面の縁部に近接した位置に回動させると、隣合って位置する二つの手摺（側面手摺４と背面手摺３、背面手摺３と側面手摺５）の隣合って位置する端部の間隔が広くなり、それに伴なって横杆４ｃ、３ｃ、５ｃ内に収容されているチェーン１１が引き出される。これにより、手摺３〜５を乗かご１の上面の縁部に近接した位置に回動させた場合に、それらの手摺３〜５の隣合って位置する端部の間隔が広くなっても、その端部間に隙間が発生することが防止され、端部間の隙間から作業員が転落するという事故の発生が防止され、作業員の安全性を確保することができる。
【００４７】
なお、本実施の形態では、索状部材としてチェーン１１を用いた場合を例に挙げて説明したが、索状部材としてロープを用いてもよい。
【００４８】
また、側面手摺４と背面手摺３（又は、背面手摺３と側面手摺５）との隣り合って位置する端部へのチェーン１１の接続構造については、チェーン１１の端部をそれぞれ横杆４ｃ，３ｃ（又は、３ｃ，５ｃ）の端部に接続することにより行なってもよい。
【００４９】
（第４の実施の形態）
本発明の第４の実施の形態を、図７及び図８に基づいて説明する。第４の実施の形態では、手摺３〜５の上部側に、上方に向けて手摺３〜５の高さ寸法を延長可能な延長手摺１２が取付けられている。なお、図面では側面手摺４とこの側面手摺４に取付けられた延長手摺１２を示しているが、背面手摺３と側面手摺５ともに、同様の構造で延長手摺１２が取付けられている。
【００５０】
延長手摺１２は、一対の縦杆１２ａ，１２ｂと、一対の縦杆１２ａ，１２ｂの一方の端部同士を連結した横杆１２ｃとにより略Ｕ字形状に形成されている。
【００５１】
延長手摺１２は、縦杆１２ａ，１２ｂの他方の端部が側面手摺４の上部側に支軸１３により回動可能に連結されている。
【００５２】
支軸１３を中心として回動可能な延長手摺１２は、図７に示すように横杆１２ｃを下側に向けた回動位置と、図８に示すように横杆１２ｃを上側に向けた延長位置との間で回動する。延長手摺１２を図８に示した延長位置に回動させた場合において、延長手摺１２は乗かご１の昇降方向の投影面外に出ないように回動位置を規制されている。
【００５３】
一方の縦杆１２ａの他方の端部側（側面手摺４への連結部側）には、延長手摺１２を図７に示した位置と図８に示した位置とに回動させた場合に、それぞれの回動位置で延長手摺１２を位置固定するロックピン１４が取付けられている。ロックピン１４による延長手摺１２の固定は、縦杆１２ａにおける支軸１３の近傍位置に挿通したロックピン１４を、縦杆４ａ，４ｂに形成されたロック穴（図示せず）に嵌合させることにより行なわれている。
【００５４】
このような構成において、乗りかご１の上に作業員が乗った乗かご１を作業位置に向けて昇降させる場合には、図７に示すように、手摺３〜５を乗かご１の上面の縁部から離反した位置に回動させるとともに、延長手摺１２を横杆１２ｃが下方を向く位置に回動させてロックピン１４により固定しておく。
【００５５】
乗かご１を停止させて保守点検作業を行なう場合には、図８に示すように、手摺３〜５を乗かご１の上面の縁部に近接した位置に回動させるとともに、延長手摺１２を横杆１２ｃが上方を向く延長位置に回動させるとともにロックピン１４によりその回動位置で固定する。これにより、手摺３〜５を乗りかご１の上面の縁部に近接した位置に回動させた場合に手摺３〜５の横杆３ｃ〜５ｃの高さ位置が下がるが、延長手摺１２を延長位置に回動させることにより横杆１２ｃの高さ位置が高くなる。したがって、保守点検作業時に作業員が横杆１２ｃを乗り越えて落下するという事故の発生が抑制され、保守点検作業時における作業員の安全性を向上させることができる。
【符号の説明】
【００５６】
１      乗かご
３      手摺（奥側手摺）
４、５  手摺（側面手摺）
９      照明灯スイッチ、安全スイッチ
１１      索状部材（チェーン）
１２      延長手摺
【図１】
2011126706.tif 000003
【図２】
2011126706.tif 000004
【図３】
2011126706.tif 000005
【図４】
2011126706.tif 000006
【図５】
2011126706.tif 000007
【図６】
2011126706.tif 000008
【図７】
2011126706.tif 000009
【図８】
2011126706.tif 000010